(57)【要約】【課題】  シート状素材の質感を積極的に表し、立体感を出せるようにする。【解決手段】  パチンコ機やアレンジボール機等の遊技機に関し、樹脂シート２と基部シート６とによってセルシート１を形成する。この場合、樹脂シート２の裏面にデザイン画３を表し、デザイン画３の内容を樹脂シート２の表面側から視認可能に接着する。樹脂シート２や基部シート６にかかる素材表面の凹凸等が影響して、デザイン画３の質感が異なる。樹脂シート２と基部シート６の間に介在させた接着剤４（接着層）の厚みを起因として遠近が生ずるので、樹脂シート２の表面側から見たときには立体感が生ずる。【選択図】        図１
2005204709.tif 000002
【特許請求の範囲】
【請求項１】
遊技盤面に貼り付けられ、表面側から裏面側を透視可能な樹脂シートと、当該樹脂シートの裏面側に接着される基部シートとで構成したセルシートを有する遊技機であって、
前記セルシートは、前記樹脂シートの裏面にデザイン画を表し、当該デザイン画の内容を前記樹脂シートの表面側から視認可能に接着されている遊技機。
【発明の詳細な説明】
【技術分野】
【０００１】
本発明は遊技機に関し、特に遊技盤面に貼り付けられるセルシートに関する。
【背景技術】
【０００２】
従来のセルシートは、遊技盤（基板）の表面が透けて見えるのを防止するために、樹脂シートの裏面側を白色で全面印刷したうえで、定着用の台紙に接着させる構成であった（例えば特許文献１，２を参照）。
【特許文献１】特開２０００−２３７３９０（第３−４頁，図１）
【特許文献２】特開２０００−１０７３６４（第２−３頁，図１）
【発明の開示】
【発明が解決しようとする課題】
【０００３】
従来のセルシートで和紙や布地を表現するには、樹脂シートの裏面側に和紙や布地の模様を印刷した上で、白色で全面印刷していた。こうして印刷された和紙や布地の模様は現実の和紙や布地に比べると質感に乏しく、樹脂シートの表面側から見ると一目で印刷であることが分かる。また樹脂シートの裏面側のみに印刷しているので、立体感に乏しい。
本発明はこのような点に鑑みてなしたものであり、第１の目的はシート状素材（例えば和紙や布地等）の質感を積極的に表すことであり、第２の目的は従来のセルシートよりも立体感を出す印刷を実現することである。
【課題を解決するための手段】
【０００４】
（１）課題を解決するための手段（以下では単に「解決手段」と呼ぶ。）１は、遊技盤面に貼り付けられ、表面側から裏面側を透視可能な樹脂シートと、当該樹脂シートの裏面側に接着される基部シートとで構成したセルシートを有する遊技機であって、
前記基部シートは前記樹脂シートとは異なる素材で形成されるとともに、
前記樹脂シートの裏面に第１デザイン画を表し、前記基部シートの表面に第２デザイン画を表し、これらの第１デザイン画および第２デザイン画を前記樹脂シートの表面側から視認可能に接着されていることを要旨とする。
【０００５】
解決手段１に記載した用語は、以下のように解釈する。当該解釈は特許請求の範囲および明細書の記載についても同様である。
（Ａ）「樹脂シート」は表面側から裏面側を透視できればよく、透明であると、半透明であるとを問わない。
（Ｂ）「第１デザイン画」と「第２デザイン画」は、いずれも絵柄や図柄等のようにデザインを施した画を意味する。第１デザイン画と第２デザイン画とは、同じ内容のデザイン画であってもよく、異なる内容のデザイン画であってもよい。樹脂シートと基部シートとを接着した状態で樹脂シートの表面側から見たとき、第１デザイン画と第２デザイン画とは重なり合って見えてもよく、重ならずに見えてもよい。第１デザイン画と第２デザイン画とが重なり合って見える場合には、当該二つのデザイン画が合成されて一つのデザイン画として認識できてもよく、別個のデザイン画として認識できてもよい。
【０００６】
解決手段１によれば、樹脂シートの裏面に表した第１デザイン画と、基部シートの表面に表した第２デザイン画とは、いずれも樹脂シートの表面側から視認できる。しかも樹脂シートと基部シートとで形成した素材が異なっており、当該素材の表面における凹凸等の影響を受けて各シートに表したデザイン画は質感が異なる。樹脂シートと基部シートとの間には接着のために接着剤が介在させる必要があるものの、固化時にほぼ透明となる材質の接着剤を用いれば視認性に影響しない。樹脂シートは表面側から裏面側を透視可能であるので、当該樹脂シートを通じて基部シートに表された第２デザイン画を透視できる。さらには、第１デザイン画と第２デザイン画との間に介在させた接着剤（接着層）の厚みを起因として遠近が生ずるので、樹脂シートの表面側から見たときには立体感が生ずる。
【０００７】
（２）解決手段２は、解決手段１に記載した遊技機であって、基部シートは、和紙または布地からなることを要旨とする。
【０００８】
解決手段２によれば、基部シートが和紙または布地そのもので形成されているので、当該和紙または布地の質感を積極的に表すことができる。従来は印刷で表現していた和紙や布地の模様に比べると、遥かに質感が高まる。
なお、和紙や布地に限らず、印刷や貼付によってデザイン画を表すことが可能なシート状素材（例えば金属製のシートや木製のシートなど）で基部シートを形成してもよい。この場合には、当該シート状素材そのものの質感を積極的に表すことができる。
【０００９】
（３）解決手段３は、解決手段１または２に記載した遊技機であって、樹脂シートと基部シートとの間にシート状の小片素材を介在させて接着したことを要旨とする。
【００１０】
解決手段３によれば、樹脂シートの表面側からみたときには、小片素材が直接見えるほか、第１デザイン画に隠れて見えたり、第２デザイン画よりも前側に見える。小片素材はシート状になっていればよく、自然素材（例えば草木の葉，動物の毛や羽根，天然石や木片をシート状にカットしたものなど）であると、人工素材（例えば紙片，布片，金属片など）であるとを問わない。例えば銀杏の葉を小片素材として用いた場合には、秋の雰囲気を醸し出すことができる。このようにして小片素材を介在させると、当該小片素材が持つ質感や雰囲気を醸し出すことができる。
【００１１】
（４）解決手段４は、解決手段１から３のいずれか一項に記載した遊技機であって、所定のデザイン画について、前方側に位置する部位を第１デザイン画として表すとともに、後方側に位置する部位を第２デザイン画として表し、
前記第１デザイン画と前記第２デザイン画とが重ね合わさって前記所定のデザイン画を完成させる構造としたことを要旨とする。
【００１２】
所定のデザイン画は例えばキャラクタ画や風景画などが該当し、１枚のセルシート上でも奥行きを表現したい場合がある。解決手段４によれば、所定のデザイン画にかかる一部分（前方側に位置する部位）を第１デザイン画として表し、他の部分（後方側に位置する部位）を第２デザイン画として表す。当該一部分と他の部分とを重ね合わせたときには、接着剤（接着層）の厚みを起因として遠近が生ずるので、樹脂シートの表面側からみたときには所定のデザイン画に立体感が生ずる。
【発明の効果】
【００１３】
本発明によれば、樹脂シートと基部シートとは異なる素材で形成しているので、各シートに表したデザイン画の質感を積極的に表すことができる。第１デザイン画と第２デザイン画との間に介在する接着剤（接着層）の厚みを起因として遠近が生ずるので、樹脂シートの表面側からみたときには立体感がより高まる。
【発明を実施するための最良の形態】
【００１４】
次に、本発明を実施するための最良の形態について、実施例に従って説明する。
【実施例１】
【００１５】
実施例１は遊技機の一つであるパチンコ機に本発明を適用した例であって、図１〜図３を参照しながら説明する。ここで、セルシートの構造を断面図で図１に示し、デザイン画を表す例を図２に示し、セルシートを遊技盤に貼り付ける様子を図３に示す。なお図１において、図面上側を表面側とし、図面上側を裏面側とする。
【００１６】
〔セルシートの構造〕
図１に示すセルシート１は、樹脂シート２と基部シート６とからなる。樹脂シート２は表面側から裏面側を透視可能であって、後述する第１デザイン画３や第２デザイン画５を視認できる素材を用いて形成する。当該樹脂シート２は無色透明であることが望ましいが、第１デザイン画３や第２デザイン画で表す内容によっては有色透明（半透明）であってもよい。樹脂シート２の材質は、例えばセルロイド樹脂、アクリル系樹脂、ポリエチレン系樹脂（ＰＥ）、ポリカーボネート系樹脂、セルロース系樹脂等のような天然樹脂または合成樹脂が該当する。樹脂シート２の表面側は平滑で光沢のある面に仕上げ、裏面側は印刷や貼付のために凹凸のある面に仕上げる。
【００１７】
これに対して基部シート６は、上述した樹脂シート２とは異なる素材を用いて形成する。遊技盤の表面が透けて見えるのを防止するため、基部シート６は紙類（特に和紙），布類（特に織物），金属板，木板，革類（天然皮革や人工皮革）などのシート状素材を用いて形成する。基部シート６の表面側は、通常は凹凸のある面になるが、加工によって平滑な面となり得る素材（例えば金属板）については凹凸のある面に仕上げる。
【００１８】
樹脂シート２の裏面側には第１デザイン画３を表し、基部シート６の表面側には第２デザイン画５を表す。第１デザイン画３および第２デザイン画５は、いずれも絵柄，図柄，画像，模様，文字，記号等によってデザインを施した画である。
樹脂シート２の裏面側および基部シート６の表面側については、どのような手段でデザイン画を表すのかを問わない。例えば印刷によって表してもよく、予めデザイン画を印刷したフィルムや紙を貼付して表してもよい。印刷方法は問わないが、例えばオフセット印刷，シルク印刷，グラビア印刷等が該当する。
【００１９】
〔セルシートおよび遊技盤の製法〕
まず図２（Ａ）に示すように、樹脂シート２の裏面側に第１デザイン画３を定着させるとともに、基部シート６の表面側に第２デザイン画５を定着させる。本例では、図面右方向に歩く人物を模したキャラクタ図柄の一部分（例えば前方側に位置する頭部，胴体，右手，右足等）を第１デザイン画３とし、当該キャラクタ図柄の他部分（例えば後方側に位置する左手，左足等）を第２デザイン画５としている。そして、樹脂シート２の裏面側と基部シート６の表面側との間を接着剤４によって接着すると、セルシート１が完成する。こうして完成したセルシート１を樹脂シート２の表面側から見ると、デザイン画が接着剤４を介して前後することになる。図２（Ｂ）に示す例では、第１デザイン画３と第２デザイン画５とが合成されたキャラクタ図柄（歩く人物）を表す。接着剤４（接着層）には少なからず厚みがあるので、当該厚みを起因として遠近が生ずる。したがって、前後するデザイン画が重なる場合には立体感が生ずる。
【００２０】
さらには図３に示すように、完成したセルシート１を遊技盤７に接着すると、役物，入賞装置，風車器，障害釘等を取り付け可能な遊技盤７となる。当該図３では、製法を分かり易くするため、セルシート１および遊技盤７について役物，入賞装置，風車器，障害釘等を取り付けるための穴の図示を省略している。
なお、和紙や布地等のように軟質の素材を用いて基部シート６を形成すると、セルシート１も軟質になる場合がある。この場合は、セルシート１を遊技盤７に接着する作業に時間を要する可能性がある。そこでセルシート１を硬質にするには、樹脂シート２を硬質の素材を用いて形成するか、硬質なシート素材（例えば紙シート）を基部シート６に接着するとよい。こうすればセルシート１を遊技盤７に接着する作業に時間が掛からない。
【００２１】
〔実施例１の効果〕
上述した実施例１によれば、以下に示す各効果を得ることができる。
（ａ１）セルシート１は、樹脂シート２と基部シート６とを異なる素材（材質）で形成するとともに、樹脂シート２の裏面に第１デザイン画３を表し、基部シート６の表面に第２デザイン画５を表し、これらの第１デザイン画３および第２デザイン画５を樹脂シート２の表面側から視認可能に接着した｛図１，図２を参照｝。樹脂シート２は表面側から裏面側を透視可能であるので、当該樹脂シート２を通じて基部シート６に表された第２デザイン画５を透視できる。
また、第１デザイン画３を表した樹脂シート２と、第２デザイン画５を表した基部シート６とは素材（材質）が異なるので、当該素材の表面における凹凸等の影響を受けて各シートに表したデザイン画は質感が異なる。すなわち樹脂シート２に表した第１デザイン画３と、基部シート６に表した第２デザイン画５とでは光沢に差異が生ずるので質感が異なる。このように一枚のセルシート１に二種類の印刷が混在した状態で見えるので、樹脂シート２の表面側から見る者は質感の違いを感じ取れる。
さらに、第１デザイン画３と第２デザイン画５との間に介在させた接着剤４（接着層）の厚みを起因として遠近が生ずるので、樹脂シート２の表面側から見たときには立体感が生ずる。このように樹脂シート２と基部シート６との間には接着剤４を介在させているが、固化時にほぼ透明となる材質の接着剤４であれば視認性に影響しない。
【００２２】
（ａ２）基部シート６は、シート状素材として和紙または布地を用いて形成したので、和紙自体の質感を積極的に表したり、布地自体の質感を積極的に表すことができる。従来は印刷で表現していた和紙や布地の模様に比べると、遥かに質感が高まる。
なお、他のシート状素材（例えば金属製のシートや木製のシートなど）を用いて形成した場合には、当該シート状素材そのものの質感を積極的に表すことができる。また、例えば基部シート６の一部分に第１の素材を用い、他の部分に当該第１の素材と異なる第２の素材を用いて基部シート６を形成する場合などのように、二以上の素材を用いて基部シート６を形成した場合には、各素材の質感を部位ごとに積極的に表すことができる。
【００２３】
（ａ３）所定のデザイン画として例えば人物を模したキャラクタ図柄（キャラクタ画に相当）を適用するとき、前方側に位置する部位（頭部，胴体，片手，片足）を第１デザイン画３として表すとともに、後方側に位置する部位（片手，片足）を第２デザイン画５として表した｛図２（Ａ）を参照｝。こうして表した第１デザイン画３と第２デザイン画５とを重ね合わせると、キャラクタ図柄のデザイン画を完成する｛図２（Ｂ）を参照｝。このように前後に位置する図柄を重ね合わせると、接着剤４（接着層）の厚みを起因として遠近が生ずるので、樹脂シート２の表面側から見るとキャラクタ図柄に立体感が生ずる。
本例では人物のキャラクタ図柄を適用したが、イメージ上のキャラクタ図柄や、背景図柄、風景画像（風景画に相当）、絵柄，模様，文字，記号等について一以上を適用してもよい。これらにかかるデザイン画であっても、前後に位置するデザイン画を重ね合わせたときには、樹脂シート２の表面側から見ると立体感が生ずる。
【実施例２】
【００２４】
実施例２は実施例１と同様にパチンコ機に本発明を適用し、さらに小片素材を介在させる例である。当該実施例２は図４，図５を参照しながら説明する。なお、セルシート１の構造や素材等は実施例１と同様である。図示および説明を簡単にするため、実施例２では実施例１と異なる点について説明する。よって、実施例１で用いた要素と同一の要素には同一の符号を付して説明を省略する。
【００２５】
〔セルシートの構造〕
図４に示すセルシート１が図１と異なるのは、樹脂シート２と基部シート６との間に小片素材８を介在させて接着した点である。当該小片素材８はシート状に形成されていればよく、素材（材質）や形状，大きさ等を問わない。例えば、自然素材（例えば草木の葉，動物の毛や羽根，天然石や木片をシート状にカットしたものなど）であってもよく、人工素材（例えば紙片，布片，金属片など）であってもよい。介在させる小片素材８の数も任意であって、一つ用いてもよく、複数（多数）用いてもよい。図４の例では、二つの小片素材８ａ，８ｂを介在させている。また、介在させる小片素材８の素材（材質）も任意であって、一種類のみの素材を用いてもよく、複数種類の素材を用いてもよい。図４の例では、第１の素材からなる小片素材８ａと、第２の素材からなる小片素材８ｂとを介在させている。当該小片素材８ａ，８ｂはほぼ同質の素材であってもよく、異質の素材であってもよい。以下では、小片素材８として銀杏の葉を適用した例について説明する。
【００２６】
〔セルシートの製法〕
まず図５（Ａ）に示すように、予め樹脂シート２の裏面側に第１デザイン画３を定着させ、基部シート６の表面側に第２デザイン画５を定着させておく。そして、小片素材８としての銀杏の葉を樹脂シート２と第２デザイン画５との間に介在させて接着すると、セルシート１が完成する。本例では、落ち葉を模した図柄を第１デザイン画３とし、銀杏の木を模した図柄を第２デザイン画５としている。
【００２７】
こうして完成したセルシート１を樹脂シート２の表面側から見ると、デザイン画が接着剤４を介して前後することになる。図５（Ｂ）に示す例では、銀杏の木から葉（小片素材８に相当）が落ちる場面を表す。当該銀杏の葉は、黄色に染まっているものが望ましい。樹脂シート２と第２デザイン画５との間に介在する接着剤４（接着層）には少なからず厚みがあるので、当該厚みを起因として遠近が生ずる。介在させる銀杏の葉の位置によっては、当該銀杏の葉が直接見えるほか、第１デザイン画３に隠れて見えたり、第２デザイン画５よりも前側に見えたりする。単なる印刷に比べると、落ち葉が前方側にあり、樹木が後方側にあるような立体感が生ずる。
また、銀杏の葉を用いた小片素材８には少なからず厚みがあるので、当該厚みを起因として遠近が生じる。さらに小片素材８として自然素材（本例では銀杏の葉）を用いたことにより、当該自然素材が持つ質感や雰囲気を醸し出すことができる。
【００２８】
〔実施例２の効果〕
上述した実施例２によれば、以下に示す各効果を得ることができる。
（ｂ１）樹脂シート２と基部シート６との間にシート状の小片素材８（すなわち銀杏の葉）を介在させて接着した｛図５を参照｝。小片素材８として例えば銀杏の葉を用いたことにより、季節の秋の雰囲気を醸し出すことができる。このようにして小片素材８を介在させると、当該小片素材８が持つ質感や雰囲気を醸し出すことができる。
本例では秋の雰囲気を醸し出すために銀杏の葉を用いたが、春の雰囲気を醸し出すには例えば桜の花びらを用いたり、夏の雰囲気を醸し出すには例えばヨットの帆を用いたり、冬の雰囲気を醸し出すには例えば綿花（雪を表現するため）を用いる。こうすれば四季折々の情景を表現することが可能になる。また四季以外で表現したいテーマがある場合には、当該テーマに見合う素材を用いることにより、その雰囲気を醸し出すことができる。
【００２９】
（ｂ２）その他の要件，構成，作用，作動結果等については実施例１と同様であるので、当該実施例１と同様の効果が得られる｛上述した事項（ａ１）〜（ａ３）を参照｝。
【００３０】
〔他の実施例〕
以上、本発明を実施するための最良の形態について実施例に従って説明したが、本発明は当該実施例に何ら限定されるものではない。言い換えれば、本発明の要旨を逸脱しない範囲内において、種々なる形態で実施することが可能である。例えば、次に示す各形態を実現してもよい。
【００３１】
（ｃ１）実施例１，２では、パチンコ機に本発明を適用した。この形態に代えて、パチンコ機以外の他の遊技機（例えばスロットマシン，アレンジボール機，雀球遊技機，テレビゲーム機等）であって樹脂シート２と基部シート６とからなるセルシート１を備えたものにも同様に本発明を適用することができる。当該他の遊技機であっても、デザイン画の質感を積極的に表すことができ、接着剤４の厚みを起因として立体感を高められる。
【００３２】
（ｃ２）実施例１，２では、樹脂シート２の裏面側に表す第１デザイン画３と、基部シート６の表面側に表す第２デザイン画５とは、いずれも一層で実現した｛図１，図４を参照｝。この形態に代えて、第１デザイン画３および第２デザイン画５のうちで一方または双方について、二層以上の多層で表してもよい。図６に示す例では、第１デザイン画３をデザイン画３ａとデザイン画３ｂとの二層で表し、第２デザイン画５をデザイン画５ａ，デザイン画５ｂおよびデザイン画５ｃの三層で表している。各デザイン画についても少なからず厚みがあるので、当該厚みを起因として遠近が生じさせることができる。
【００３３】
（ｃ３）実施例２では、樹脂シート２と基部シート６との間に介在して接着させる小片素材８を分散配置した｛図４，図５を参照｝。この形態に代えて、二以上の小片素材８を積層して配置する構成としてもよい。図７に示す例では、二つの小片素材８ａ，８ｂを積層させて接着している。こうすれば、貼り絵のような立体感を持たせることができる。
【００３４】
（ｃ４）実施例１，２では、遊技盤７に貼り付けて一体化させるセルシート１について適用した｛図３を参照｝。この形態に代えて、樹脂製のガラス枠に貼り付けて一体化させるセルシートについても同様に適用することができる。遊技盤７とガラス枠との双方に貼り付ける場合には、遊技盤７とガラス枠とで一体感を持たせたデザイン画を描ける。
【００３５】
（ｃ５）実施例１，２で用いる接着に用いる接着剤４の種類は問わないが、感光性樹脂や、放射線を照射して硬化させる接着剤４を用いるのが望ましい。感光性の接着剤４を用いれば、光を当てるだけで硬化するので、セルシート１の製造速度を速められる。また放射線を照射して硬化させる接着剤４（例えばポリアクリル酸エステル、ポリアクリルアミド、ポリエステル等）を用いれば、引張強さや表面硬度を大きくすることができる。
【００３６】
（ｃ６）実施例２では、シート状に形成された小片素材８（本例では銀杏の葉）を用いた｛図４，図５を参照｝。この形態に代えて、粒状物を小片素材８として用いてもよい。当該粒状物としては、例えば天然石，化石，貝殻等を粉砕した粒体や、砂、着色した樹脂粒などが該当する。例えば砂を用いた場合には、砂浜を表現することができる。このように粒状物を用いた場合でも、当該粒状物の質感を積極的に表すことができ、粒状物自体の雰囲気を醸し出すことができる。
【図面の簡単な説明】
【００３７】
【図１】セルシートの構造を説明する断面図である。
【図２】デザイン画の例を説明する図である。
【図３】セルシートを遊技盤に貼り付ける様子を示す図である。
【図４】セルシートの構造を説明する断面図である。
【図５】小片素材を介在させる例を説明する図である。
【図６】セルシートの構造を説明する断面図である。
【図７】セルシートの構造を説明する断面図である。
【符号の説明】
【００３８】
１  セルシート
２  樹脂シート
３（３ａ，３ｂ）  第１デザイン画
４  接着剤
５  第２デザイン画
６  基部シート
７  遊技盤
８（８ａ，８ｂ）  小片素材
【図１】
2005204709.tif 000003
【図２】
2005204709.tif 000004
【図３】
2005204709.tif 000005
【図４】
2005204709.tif 000006
【図５】
2005204709.tif 000007
【図６】
2005204709.tif 000008
【図７】
2005204709.tif 000009